(57)【特許請求の範囲】
【請求項１】
給湯熱源機から給湯個所に至る給湯往き配管と、給湯個所から給湯熱源機に戻る給湯戻り配管とを設け、
これら往き配管と戻り配管とからなる循環回路の途中に循環ポンプを配すると共に、戻り配管と給水配管との接続部よりも循環流れ方向上流側に循環流れ方向と逆方向には流れないように逆止弁Ａを設け、
該逆止弁Ａよりも循環流れ方向上流側と、往き配管の途中とを開閉可能な切替弁を介して連通し、戻り配管と給湯個所のカランとの間に、逆止弁Ｃをカラン方向にのみ通水可能な方向に配し、且つ、往き配管と当該逆止弁Ｃ・カラン間を短絡管で連通したことを特徴とする循環式給湯装置。
【請求項２】
給湯熱源機から給湯個所に至る給湯往き配管と、給湯個所から給湯熱源機に戻る給湯戻り配管とを設け、
これら往き配管と戻り配管とからなる循環回路の途中に循環用ポンプを配すると共に、戻り配管と給水配管との接続部よりも循環流れ方向上流側に、循環流れ方向と逆方向には流れないように逆止弁Ａを設け、
該逆止弁Ａよりも循環流れ方向上流側で、且つ、循環用ポンプよりも下流側と、往き配管の途中とを該往き配管の上流側から戻り配管の逆止弁Ａ方向に流れるように逆止弁Ｂを介して連通したことを特徴とする循環式給湯装置。
【請求項３】
給湯熱源機から給湯個所に至る給湯往き配管と、給湯個所から給湯熱源機に戻る給湯戻り配管とを設け、
これら往き配管と戻り配管とからなる循環回路の途中に循環ポンプを配すると共に、戻り配管と給水配管との接続部よりも循環流れ方向上流側に循環流れ方向と逆方向には流れないように逆止弁Ａを設け、
戻り配管と給湯個所のカランとの間に、逆止弁Ｃをカラン方向にのみ通水可能な方向に配し、且つ、往き配管と当該逆止弁Ｃ・カラン間を短絡管で連通したことを特徴とする循環式給湯装置。
【請求項４】
戻り配管と給湯個所のカランとの間に、逆止弁Ｃをカラン方向にのみ通水可能な方向に配し、且つ、往き配管と当該逆止弁Ｃ・カラン間を短絡管で連通したことを特徴とする請求項２に記載の循環式給湯装置。
【発明の詳細な説明】
【０００１】
【発明の属する技術分野】
本発明はカランを開放すると、殆ど捨て水無しで適温の湯を給湯可能な、循環式給湯装置に関する。
【０００２】
【従来の技術】
従来、この種の循環式給湯装置においては、給湯熱源機から給湯個所に至る給湯往き配管と、給湯個所から給湯熱源機に戻る給湯戻り配管とを設け、これら往き配管と戻り配管とからなる循環回路の途中に循環ポンプと戻り湯温度を測定するサーミスタを配し、即湯用循環時には、循環回路内の湯を一定時間毎に、若しくはサーミスタの温度が所定の温度以下に下がると、若しくはこれらを組み合わせて、サーミスタの検知温度が所定の温度に上昇するまで循環ポンプにより循環し、給湯熱源機のバーナに点火して給湯熱源機の熱交換器を介し、循環回路内の水を適温に制御しつつ加熱するか、又は、当該循環回路にヒータを配し、循環回路内の水を適温に制御しつつ加熱し、カランからの給湯時にはカランを開放すると当該循環ポンプを停止し、且つ、給湯熱源機のバーナの制御を循環運転から給湯運転に変更し、若しくは、当該ヒータへの通電を止め、往き配管を通じてカランから給湯していた。
【０００３】
【発明が解決しようとする課題】
しかしながら頻繁に給湯するような、即ち、殆ど即湯用循環運転をしないような使い方をすると、戻り配管内の水は滞留水となり、長期間この状態が継続すると配管内の錆を伴った赤水が発生したり、又、不衛生であるという問題が有った。多くの一般ユーザーの使用方法では、定期的に循環運転に入るが、それでも上水道から給湯熱源機に入水した水が、全て給湯個所のカランから排出されるわけでは無く、更なる改良が望まれる。
又一方、大能力、大量出湯に対する需要が年々高まってきており、より一層の大量出湯が望まれている。
【０００４】
本発明は上記問題に鑑み、滞留水が発生しにくく、且つ、従来以上に大量出湯が可能な循環式給湯装置を提供することを目的とする。
【０００５】
【課題を解決するための手段】
上記目的を達成するために、本発明の循環式給湯装置は、給湯熱源機から給湯個所に至る給湯往き配管と、給湯個所から給湯熱源機に戻る給湯戻り配管とを設け、これら往き配管と戻り配管とからなる循環回路の途中に循環ポンプを配すると共に、戻り配管と給水配管との接続部よりも循環流れ方向上流側に循環流れ方向と逆方向には流れないように逆止弁Ａを設け、戻り配管と給湯個所のカランとの間に、逆止弁Ｃをカラン方向にのみ通水可能な方向に配し、且つ、往き配管と当該逆止弁Ｃ・カラン間を短絡管で連通し、且つ、該逆止弁Ａよりも循環流れ方向上流側と、往き配管の途中とを開閉可能な切替弁を介して連通したことを第１の特徴としている。
【０００６】
請求項１記載の循環式給湯装置によれば、給湯熱源機から給湯個所に至る給湯往き配管と、給湯個所から給湯熱源機に戻る給湯戻り配管とを設け、これら往き配管と戻り配管とからなる循環回路の途中に循環ポンプを配すると共に、戻り配管と給水配管との接続部よりも循環流れ方向上流側に循環流れ方向と逆方向には流れないように逆止弁Ａを設け、戻り配管と給湯個所のカランとの間に、逆止弁Ｃをカラン方向にのみ通水可能な方向に配し、且つ、往き配管と当該逆止弁Ｃ・カラン間を短絡管で連通し、且つ、該逆止弁Ａよりも循環流れ方向上流側と、往き配管の途中とを開閉可能な切替弁を介して連通したことにより、カランからの給湯時には給湯熱源機から吐出した湯は往き配管を通って、及び、バイパス管を経由して戻り配管を通ってカランから吐出されるのみならず、往き配管に流入した湯は、途中で各カランに向かう短絡管にも分流される為、通水抵抗が非常に小さくなり、大量出湯が可能となる。循環時には、往き配管から戻り配管にショートサイクルする事が無く、循環運転に支障をきたす事は無い。また、給湯運転、即湯用循環運転を問わず往き配管も、戻り配管も通水に供される為、水が滞留する事が無く衛生的である。
【０００７】
又、本発明の循環式給湯装置は  給湯熱源機から給湯個所に至る給湯往き配管と、給湯個所から給湯熱源機に戻る給湯戻り配管とを設け、これら往き配管と戻り配管とからなる循環回路の途中に循環用ポンプを配すると共に、戻り配管と給水配管との接続部よりも循環流れ方向上流側に、循環流れ方向と逆方向には流れないように逆止弁Ａを設け、該逆止弁Ａよりも循環流れ方向上流側で、且つ、循環用ポンプよりも下流側と、往き配管の途中とを該往き配管の上流側から戻り配管の逆止弁Ａ方向に流れるように逆止弁Ｂを介して連通したことを第２の特徴としている。
【０００８】
請求項２記載の循環式給湯装置によれば、戻り配管と給水配管との接続部よりも循環流れ方向上流側に、循環流れ方向と逆方向には流れないように逆止弁Ａを設け、該逆止弁Ａよりも循環流れ方向上流側で、且つ、循環用ポンプよりも下流側と、往き配管の途中とを該往き配管の上流側から戻り配管の逆止弁Ａ方向に流れるように逆止弁Ｂを介して連通したことにより、電動或いは手動の切替弁を用いずとも即湯用循環運転、給湯運転の通路切り替えができ、複雑なアクチュエータを用いるよりも信頼性が向上すると共に通水抵抗を小さくでき、製造コストも低減できる。又、給湯時には給湯用の通水路として、往き配管と戻り配管の両方を使用することになり、通水抵抗が小さく抑えられ大量出湯が可能となると共に、給湯運転、即湯用循環運転を問わず往き配管も、戻り配管も通水される為、水が滞留する事が無く衛生的である。
【０００９】
又、本発明の循環式給湯装置は、給湯熱源機から給湯個所に至る給湯往き配管と、給湯個所から給湯熱源機に戻る給湯戻り配管とを設け、これら往き配管と戻り配管とからなる循環回路の途中に循環ポンプを配すると共に、戻り配管と給水配管との接続部よりも循環流れ方向上流側に循環流れ方向と逆方向には流れないように逆止弁Ａを設け、戻り配管と給湯個所のカランとの間に、逆止弁Ｃをカラン方向にのみ通水可能な方向に配し、且つ、往き配管と当該逆止弁Ｃ・カラン間を短絡管で連通したことを第３の特徴としている。
【００１０】
請求項３記載の循環式給湯装置によれば、戻り配管と給湯個所のカランとの間に、逆止弁Ｃをカラン方向にのみ通水可能な方向に配し、且つ、往き配管と当該逆止弁Ｃ・カラン間を短絡管で連通したことにより、給湯時には給湯用の通水路として、往き配管と戻り配管の両方を使用することになり、通水抵抗が小さく抑えられ大量出湯が可能となる。
即湯用循環運転時には、戻り配管と給湯個所のカランとの間に、逆止弁Ｃをカラン方向にのみ通水可能な方向に配している為に、往き配管から戻り配管にショートサイクルする事が無く、循環回路を全て用いて確実に循環動作をする事が可能で、循環回路に滞留水が発生する事が無い。
【００１１】
又、本発明の循環式給湯装置は、戻り配管と給湯個所のカランとの間に、逆止弁Ｃをカラン方向にのみ通水可能な方向に配し、且つ、往き配管と当該逆止弁Ｃ・カラン間を短絡管で連通したことを特徴とする循環式給湯装置であり、且つ、請求項２に記載の循環式給湯装置であることを第４の特徴としている。つまり、給湯熱源機から給湯個所に至る給湯往き配管と、給湯個所から給湯熱源機に戻る給湯戻り配管とを設け、これら往き配管と戻り配管とからなる循環回路の途中に循環ポンプを配すると共に、戻り配管と給水配管との接続部よりも循環流れ方向上流側に循環流れ方向と逆方向には流れないように逆止弁Ａを設け、戻り配管と給湯個所のカランとの間に、逆止弁Ｃをカラン方向にのみ通水可能な方向に配し、且つ、往き配管と当該逆止弁Ｃ・カラン間を短絡管で連通し、且つ、請求項２に記載のように、該逆止弁Ａよりも循環流れ方向上流側で、且つ、循環用ポンプよりも下流側と、往き配管の途中とを該往き配管の上流側から戻り配管の逆止弁Ａ方向に流れるように逆止弁Ｂを介して連通したことを第４の特徴としている。
【００１２】
請求項４記載の循環式給湯装置によれば、給湯熱源機から給湯個所に至る給湯往き配管と、給湯個所から給湯熱源機に戻る給湯戻り配管とを設け、これら往き配管と戻り配管とからなる循環回路の途中に循環ポンプを配すると共に、戻り配管と給水配管との接続部よりも循環流れ方向上流側に循環流れ方向と逆方向には流れないように逆止弁Ａを設け、戻り配管と給湯個所のカランとの間に、逆止弁Ｃをカラン方向にのみ通水可能な方向に配し、且つ、往き配管と当該逆止弁Ｃ・カラン間を短絡管で連通し、且つ、該逆止弁Ａよりも循環流れ方向上流側で、且つ、循環用ポンプよりも下流側と、往き配管の途中とを該往き配管の上流側から戻り配管の逆止弁Ａ方向に流れるように逆止弁Ｂを介して連通したことにより、カランからの給湯時には給湯熱源機から吐出した湯は往き配管を通って、及び、バイパス管を経由して戻り配管を通ってカランから吐出されるのみならず、往き配管に流入した湯は、途中で各カランに向かう短絡管にも分流される為、通水抵抗が非常に小さくなり、大量出湯が可能となる。循環時には、往き配管から戻り配管にショートサイクルする事が無く、循環運転に支障をきたす事は無い。
【００１３】
以下これらを図示の実施例に基づいて説明する。図１は、本発明を適用した循環式給湯装置の第１の実施例の概略構成図である。図２は本発明を適用した循環式給湯装置の第２の実施例の概略構成図である。図３は本発明を適用した循環式給湯装置の第３の実施例の概略構成図である。図４は本発明を適用した循環式給湯装置の第４の実施例の概略構成図である。図５は本発明を適用した循環式給湯装置の第５の実施例の概略構成図である。図６は従来の循環式給湯装置の一例を示す概略構成図である。図７は従来の循環式給湯装置の他の一例を示す概略構成図である。
【００１４】
【発明の実施の形態】
図１を参照して本発明の第１の実施例の構成について説明する。
給湯熱源機は従来例と同様に、バーナ２とバーナ２により加熱される熱交換器１、及び、往き配管６と戻り配管７からなる循環回路内の湯を循環するポンプ３、入水管８から循環回路への逆流を防止する逆止弁Ａよりなり、更に本発明の第１の実施例ではポンプ３の吸込側と熱交換器１の出口部とを、途中に通路を開閉可能な切替弁１２を介してバイパス管１３で連通させている。又、給湯個所の各カラン５は湯水混合栓であり、戻り配管７から湯を供給すべく、又、給水源に接続された給水管９を通じて冷水を供給すべく配管されている。
【００１５】
図１において、循環運転時、つまりポンプ３起動時、バイパス管１３は切替弁１２により閉止されており、従来の循環式給湯装置と同様に、循環回路内の湯は図示しないコントローラにより、サーミスタ１０の検知温度が所定の温度になるようにポンプ３により循環され、熱交換器２でバーナ２により適宜加熱されることにより制御される。ここで熱交換器１から流出した湯は往き配管６を通過後、戻り配管７を通り、サーミスタ１０によって温度を検知されてポンプ３から吐出され、逆止弁Ａを通過して、熱交換器１でバーナ２に加熱され往き配管６に吐出される。
【００１６】
一方、カラン５からの給湯時には、ポンプ３を停止してカラン５を開放すると、給水源から流入した水の一部は入水管８を通って熱交換器１に至り、図示しない水量センサ、入水温度センサ、出湯温度センサ等のデータを元に、図示しないコントローラで制御されるバーナ２により設定温度に加熱され、熱交換器１から吐出される。ここで切替弁１２は開放されており、熱交換器１出口と、戻り配管７のポンプ３よりも上流側とがバイパス管１３により連通される。故に、熱交換器１から吐出された湯の一部は、往き配管６に流入し、戻り配管７に至るが、残りはバイパス管１３を通って戻り配管７とポンプ３の吸込口との交差部に至る。この位置の水圧は、入水管８の水圧よりも低い為、湯はポンプ３側には流れず、戻り配管７を通って往き配管６から流入してきた湯と合流し、各カラン５の湯側に至り、給水源から給水管９に流入してカラン５の水側に至った冷水と適温に混合され、カラン５から吐出する。
【００１７】
次に図２を参照して本発明の第２の実施例の構成について説明する。
給湯熱源機は従来例と同様に、バーナ２とバーナ２により加熱される熱交換器１、及び、循環回路内の湯を循環するポンプ３、入水管８から循環回路への逆流を防止する逆止弁Ａよりなり、更に本発明の第２の実施例では該逆止弁Ａよりも循環流れ方向上流側で、且つ、ポンプ３よりも下流側と、往き配管６の熱交換器１出口部とを該往き配管６の上流側から戻り配管７の逆止弁Ａ方向に流れるように逆止弁Ｂを介してバイパス管１３で連通している。又、各カラン５は湯水混合栓であり、戻り配管７から湯を供給すべく、又、給水源に接続された給水管９を通じて冷水を供給すべく配管されている。
【００１８】
図２において、循環運転時、つまりポンプ３起動時、ポンプ３の吐出側に逆止弁Ｂが配されている為、その圧力バランスによって、バイパス管１３においては往き配管６から戻り配管７に向かう流れは発生せず、且つ、その逆に戻り配管７から往き配管に向かう流れも発生しない。よって、従来の循環式給湯装置と同様に、循環回路内の湯は図示しないコントローラにより、サーミスタ１０の検知温度が所定の温度になるようにポンプ３により循環され、熱交換器２でバーナ２により適宜加熱されることにより制御される。ここで熱交換器から流出した湯は往き配管６を通過後、戻り配管７を通り、サーミスタ１０によって温度を検知されてポンプ３から吐出され、逆止弁Ａを通過して、熱交換器１でバーナ２に加熱され往き配管６に吐出される。
【００１９】
一方、カラン５からの給湯時には、ポンプ３を停止してカラン５を開放すると、給水源から流入した水の一部は入水管８を通って熱交換器１に至り、図示しない水量センサ、入水温度センサ、出湯温度センサ等のデータを元に、図示しないコントローラで制御されるバーナ２により設定温度に加熱され、熱交換器１から吐出される。ここでポンプ３は停止している為、バイパス管１３においては逆止弁Ｂを介して戻り配管７に向かう流れが発生する。故に、熱交換器１から吐出された湯の一部は、往き配管６に流入し、戻り配管７に至るが、残りは逆止弁Ｂを介してバイパス管１３を通り、ポンプ３を循環流れ方向とは逆方向に流れて、往き配管６から流入してきた湯と合流し、各カラン５の湯側に至り、給水源から給水管９に流入してカラン５の水側に至った冷水と適温に混合され、カラン５から吐出する。
【００２０】
次に図３を参照して本発明の第３の実施例の構成について説明する。
給湯熱源機は従来例と同様に、バーナ２とバーナ２により加熱される熱交換器１、及び、循環回路内の湯を循環するポンプ３、入水管８から循環回路への逆流を防止する逆止弁Ａよりなり、更に本発明の第３の実施例では、戻り配管７と給湯個所のカラン５との間に、逆止弁Ｃをカラン５方向にのみ通水可能な方向に配し、且つ、往き配管６と当該逆止弁Ｃ・カラン間を短絡管で連通している。又、各カラン５は湯水混合栓であり、戻り配管７から当該逆止弁Ｃを介して、及び往き配管６から短絡管を介して湯を供給すべく、又、給水源に接続された給水管９を通じて冷水を供給すべく配管されている。
【００２１】
図３において、循環運転時、つまりポンプ３起動時、戻り配管７のポンプ３よりも上流側に、逆止弁Ｃがカラン５方向にのみ通水可能な方向に配されている為、循環回路内の湯が短絡管１５を介して、往き配管６から戻り配管７へショートサイクルするという事は無く、従来の循環式給湯装置と同様に、循環回路内の湯は図示しないコントローラにより、サーミスタ１０の検知温度が所定の温度になるようにポンプ３により循環され、熱交換器２でバーナ２により適宜加熱されることにより制御される。ここで熱交換器から流出した湯は往き配管６を通過後、戻り配管７を通り、サーミスタ１０によって温度を検知されてポンプ３から吐出され、逆止弁Ａを通過して、熱交換器１でバーナ２に加熱され往き配管６に吐出される。
【００２２】
一方、カラン５からの給湯時には、ポンプ３を停止してカラン５を開放すると、給水源から流入した水の一部は入水管８を通って熱交換器１に至り、図示しない水量センサ、入水温度センサ、出湯温度センサ等のデータを元に、図示しないコントローラで制御されるバーナ２により設定温度に加熱され、熱交換器１から吐出され往き配管６に流入する。往き配管６に流入した湯の一部はそのまま戻り配管７を通り、各逆止弁Ｃを通過して各カラン５の湯側に至るが、残りは短絡管１５を通って、そのまま各カラン５の湯側に至り、給水源から給水管９に流入してカラン５の水側に至った冷水と適温に混合され、カラン５から吐出する。
【００２３】
次に図４を参照して本発明の第４の実施例の構成について説明する。
本発明の第４の実施例の構成は、本発明の第３の実施例の構成と本発明の第１の実施例の構成を兼ね備えたものである。つまり、給湯熱源機は従来例と同様に、バーナ２とバーナ２により加熱される熱交換器１、及び、循環回路内の湯を循環するポンプ３、入水管８から循環回路への逆流を防止する逆止弁Ａよりなり、更に本発明の第４の実施例では、本発明の第３の実施例と同様に、戻り配管７と給湯個所のカラン５との間に、逆止弁Ｃをカラン５方向にのみ通水可能な方向に配し、且つ、往き配管６と当該逆止弁Ｃ・カラン間を短絡管で連通している。又、更に本発明の第１の実施例のようにポンプ３の吸込側と熱交換器１の出口部とを、途中に通路を開閉可能な切替弁１２を介してバイパス管１３で連通させている。
各カラン５は湯水混合栓であり、戻り配管７から当該逆止弁Ｃを介して、及び往き配管６から短絡管を介して湯を供給すべく、又、給水源に接続された給水管９を通じて冷水を供給すべく配管されている。
【００２４】
図４において、循環運転時つまりポンプ３起動時、バイパス管１３は切替弁１２により閉止されており、従来の循環式給湯装置と同様に、循環回路内の湯は図示しないコントローラにより、サーミスタ１０の検知温度が所定の温度になるようにポンプ３により循環され、熱交換器２でバーナ２により適宜加熱されることにより制御される。又、戻り配管７のポンプ３よりも上流側に、逆止弁Ｃがカラン５方向にのみ通水可能な方向に配されている為、循環回路内の湯が短絡管１５を介して、往き配管６から戻り配管７へショートサイクルするという事は無い。
ここで熱交換器１から流出した湯は往き配管６を通過後、戻り配管７を通り、サーミスタ１０によって温度を検知されてポンプ３から吐出され、逆止弁Ａを通過して、熱交換器１でバーナ２に加熱され往き配管６に吐出される。
【００２５】
一方、カラン５からの給湯時には、ポンプ３を停止してカラン５を開放すると、給水源から流入した水の一部は入水管８を通って熱交換器１に至り、図示しない水量センサ、入水温度センサ、出湯温度センサ等のデータを元に、図示しないコントローラで制御されるバーナ２により設定温度に加熱され、熱交換器１から吐出される。ここで切替弁１２は開放されており、熱交換器１出口と、戻り配管７のポンプ３よりも上流側とがバイパス管１３により連通される。故に、熱交換器１から吐出した湯の一部は、往き配管６に流入する。往き配管６に流入した湯の一部はそのまま戻り配管７を通り、各逆止弁Ｃを通過して各カラン５の湯側に至るが、残りは短絡管１５を通って、そのまま各カラン５の湯側に至る。熱交換器１から吐出した湯の残りは、バイパス管１３を通って戻り配管７とポンプ３の吸込口との交差部に至る。この位置の水圧は、入水管８の水圧よりも低い為、湯はポンプ３側には流れず、戻り配管７を通って各逆止弁Ｃを通過して各カラン５の湯側に至る。又、ここで給水源から給水管９に流入してカラン５の水側に至った冷水と適温に混合され、カラン５から吐出する。
【００２６】
次に図５を参照して本発明の第５の実施例の構成について説明する。
本発明の第５の実施例の構成は、本発明の第３の実施例の構成と本発明の第２の実施例の構成を兼ね備えたものである。つまり、給湯熱源機は従来例と同様に、バーナ２とバーナ２により加熱される熱交換器１、及び、循環回路内の湯を循環するポンプ３、入水管８から循環回路への逆流を防止する逆止弁Ａよりなり、更に本発明の第５の実施例では、本発明の第３の実施例と同様に、戻り配管７と給湯個所のカラン５との間に、逆止弁Ｃをカラン５方向にのみ通水可能な方向に配し、且つ、往き配管６と当該逆止弁Ｃ・カラン間を短絡管で連通している。又、本発明の第２の実施例と同様に、該逆止弁Ａよりも循環流れ方向上流側で、且つ、ポンプ３よりも下流側と、往き配管６の熱交換器１出口部とを該往き配管６の上流側から戻り配管７の逆止弁Ａ方向に流れるように逆止弁Ｂを介してバイパス管１３で連通している。又、各カラン５は湯水混合栓であり、戻り配管７から当該逆止弁Ｃを介して、及び往き配管６から短絡管を介して湯を供給すべく、又、給水源に接続された給水管９を通じて冷水を供給すべく配管されている。
【００２７】
図５において、循環運転時つまりポンプ３起動時、ポンプ３の吐出側に逆止弁Ｂが配されている為、その圧力バランスによって、バイパス管１３においては往き配管６から戻り配管７に向かう流れは発生せず、且つ、その逆に戻り配管７から往き配管に向かう流れも発生しない。よって、従来の循環式給湯装置と同様に、循環回路内の湯は図示しないコントローラにより、サーミスタ１０の検知温度が所定の温度になるようにポンプ３により循環され、熱交換器２でバーナ２により適宜加熱されることにより制御される。又、戻り配管７のポンプ３よりも上流側に、逆止弁Ｃがカラン５方向にのみ通水可能な方向に配されている為、循環回路内の湯が短絡管１５を介して、往き配管６から戻り配管７へショートサイクルするという事は無い。ここで熱交換器から流出した湯は往き配管６を通過後、戻り配管７を通り、サーミスタ１０によって温度を検知されてポンプ３から吐出され、逆止弁Ａを通過して、熱交換器１でバーナ２に加熱され往き配管６に吐出される。
【００２８】
一方、カラン５からの給湯時には、ポンプ３を停止してカラン５を開放すると、給水源から流入した水の一部は入水管８を通って熱交換器１に至り、図示しない水量センサ、入水温度センサ、出湯温度センサ等のデータを元に、図示しないコントローラで制御されるバーナ２により設定温度に加熱され、熱交換器１から吐出される。ここでポンプ３は停止している為、バイパス管１３においては逆止弁Ｂを介して戻り配管７に向かう流れが発生する。故に、熱交換器１から吐出された湯の一部は、往き配管６に流入し、戻り配管７に至るが、残りは逆止弁Ｂを介してバイパス管１３を通り、ポンプ３を循環流れ方向とは逆方向に流れて、往き配管６から流入してきた湯と合流し、各逆止弁Ｃを通過して各カラン５の湯側に至る。又、往き配管６に流入した湯の一部はそのまま戻り配管７を通り、各逆止弁Ｃを通過して各カラン５の湯側に至るが、残りは短絡管１５を通って、そのまま各カラン５の湯側に至り、給水源から給水管９に流入してカラン５の水側に至った冷水と適温に混合され、カラン５から吐出する。
【００２９】
尚、以上の本発明の実施例の説明では、熱源機は図７に示す従来例を元に説明したが、これに限定する必要は無く、図６に示すように循環回路内の湯を加熱する為にヒータ１１を配したものであっても良く、又、熱源機の加熱部構成が電気温水器や、オイルボイラーであっても構わない。又、サーミスタ１０の取り付け位置もこの場所に限定するものではなく、循環回路内の湯温が測定できる位置に取り付けられていれば良い。又、カランも湯水混合栓に限定するものではなく、給水管９の接続をせず、単栓を用いても構わない。又、説明では短絡管１５を、往き配管の最後の系統のカランには設けていないが、勿論設けても良く、その場合、往き配管の最後の系統のカランの出湯量は更に増加する。
【００３０】
【発明の効果】
以上説明したように、請求項１に記載の循環式給湯装置では、給湯熱源機から給湯個所に至る給湯往き配管と、給湯個所から給湯熱源機に戻る給湯戻り配管とを設け、これら往き配管と戻り配管とからなる循環回路の途中に循環ポンプを配すると共に、戻り配管と給水配管との接続部よりも循環流れ方向上流側に循環流れ方向と逆方向には流れないように逆止弁Ａを設け、戻り配管と給湯個所のカランとの間に、逆止弁Ｃをカラン方向にのみ通水可能な方向に配し、且つ、往き配管と当該逆止弁Ｃ・カラン間を短絡管で連通し、且つ、該逆止弁Ａよりも循環流れ方向上流側と、往き配管の途中とを開閉可能な切替弁を介して連通したことにより、カランからの給湯時には給湯熱源機から吐出した湯は往き配管を通って、及び、バイパス管を経由して戻り配管を通ってカランから吐出されるのみならず、往き配管に流入した湯は、途中で各カランに向かう短絡管にも分流される為、通水抵抗が非常に小さくなり、大量出湯が可能となる。循環時には、往き配管から戻り配管にショートサイクルする事が無く、循環運転に支障をきたす事は無い。また、給湯運転、即湯用循環運転を問わず往き配管も、戻り配管も通水に供される為、水が滞留する事が無く衛生的である。
【００３１】
又、請求項２に記載の循環式給湯装置では、給湯熱源機から給湯個所に至る給湯往き配管と、給湯個所から給湯熱源機に戻る給湯戻り配管とを設け、これら往き配管と戻り配管とからなる循環回路の途中に循環用ポンプを配すると共に、戻り配管と給水配管との接続部よりも循環流れ方向上流側に、循環流れ方向と逆方向には流れないように逆止弁Ａを設け、該逆止弁Ａよりも循環流れ方向上流側で、且つ、循環用ポンプよりも下流側と、往き配管の途中とを該往き配管の上流側から戻り配管の逆止弁Ａ方向に流れるように逆止弁Ｂを介して連通したことにより、電動或いは手動の切替弁を用いずとも即湯用循環運転、給湯運転の通路切り替えができ、複雑なアクチュエータを用いるよりも信頼性が向上すると共に通水抵抗を小さくでき、製造コストも低減できる。又、給湯時には給湯用の通水路として、往き配管と戻り配管の両方を使用することになり、通水抵抗が小さく抑えられ大量出湯が可能となると共に、給湯運転、即湯用循環運転を問わず往き配管も、戻り配管も通水される為、水が滞留する事が無く衛生的である。
【００３２】
又、  請求項３に記載の循環式給湯装置では、給湯熱源機から給湯個所に至る給湯往き配管と、給湯個所から給湯熱源機に戻る給湯戻り配管とを設け、これら往き配管と戻り配管とからなる循環回路の途中に循環ポンプを配すると共に、戻り配管と給水配管との接続部よりも循環流れ方向上流側に循環流れ方向と逆方向には流れないように逆止弁Ａを設け、戻り配管と給湯個所のカランとの間に、逆止弁Ｃをカラン方向にのみ通水可能な方向に配し、且つ、往き配管と当該逆止弁Ｃ・カラン間を短絡管で連通したことにより、給湯時には給湯用の通水路として、往き配管と戻り配管の両方を使用することになり、通水抵抗が小さく抑えられ大量出湯が可能となる。又、即湯用循環運転時には、戻り配管と給湯個所のカランとの間に、逆止弁Ｃをカラン方向にのみ通水可能な方向に配している為に、往き配管から戻り配管にショートサイクルする事が無く、循環回路を全て用いて確実に循環動作をする事が可能で、循環回路に滞留水が発生する事が無い。
【００３３】
又、請求項４に記載の循環式給湯装置では、給湯熱源機から給湯個所に至る給湯往き配管と、給湯個所から給湯熱源機に戻る給湯戻り配管とを設け、これら往き配管と戻り配管とからなる循環回路の途中に循環ポンプを配すると共に、戻り配管と給水配管との接続部よりも循環流れ方向上流側に循環流れ方向と逆方向には流れないように逆止弁Ａを設け、戻り配管と給湯個所のカランとの間に、逆止弁Ｃをカラン方向にのみ通水可能な方向に配し、且つ、往き配管と当該逆止弁Ｃ・カラン間を短絡管で連通し、且つ、該逆止弁Ａよりも循環流れ方向上流側で、且つ、循環用ポンプよりも下流側と、往き配管の途中とを該往き配管の上流側から戻り配管の逆止弁Ａ方向に流れるように逆止弁Ｂを介して連通したことにより、カランからの給湯時には給湯熱源機から吐出した湯は往き配管を通って、及び、バイパス管を経由して戻り配管を通ってカランから吐出されるのみならず、往き配管に流入した湯は、途中で各カランに向かう短絡管にも分流される為、通水抵抗が非常に小さくなり、大量出湯が可能となる。循環時には、往き配管から戻り配管にショートサイクルする事が無く、循環運転に支障をきたす事は無い。
【図面の簡単な説明】
【図１】本発明を適用した循環式給湯装置の第１の実施例の概略構成図である。
【図２】本発明を適用した循環式給湯装置の第２の実施例の概略構成図である。
【図３】本発明を適用した循環式給湯装置の第３の実施例の概略構成図である。
【図４】本発明を適用した循環式給湯装置の第４の実施例の概略構成図である。
【図５】本発明を適用した循環式給湯装置の第５の実施例の概略構成図である。
【図６】従来の循環式給湯装置の一例を示す概略構成図である。
【図７】従来の循環式給湯装置の他の一例を示す概略構成図である。
【符号の説明】
１    熱交換器
２    バーナ
３    ポンプ
５    カラン
６    往き配管
７    戻り配管
１０  サーミスタ
１２  切替弁
１３  バイパス管
１５  短絡管
Ａ    逆止弁
Ｂ    逆止弁
Ｃ    逆止弁
【図１】
0003613033.tif 000002
【図２】
0003613033.tif 000003
【図３】
0003613033.tif 000004
【図４】
0003613033.tif 000005
【図５】
0003613033.tif 000006
【図６】
0003613033.tif 000007
【図７】
0003613033.tif 000008